(57)【要約】【課題】電磁継電器において、電磁継電器において、アークを円滑に伸長させることにある。【解決手段】電磁継電器は、１対の固定端子と、可動接触片と、磁石部と、を備える。１対の固定端子は、固定接点を含む。可動接触片は、固定接点に対向して配置された可動接点を含み、可動接点が固定接点に接触する第１方向と、可動接点が固定接点から開離する第２方向とに移動可能である。磁石部は、固定接点と前記可動接点との間で生じるアークを伸長させるための磁界を発生させる。アークが伸長されるアーク伸長方向に位置する固定端子の第１方向側の角部、又は、アーク伸長方向に位置する可動接触片の第２方向側の角部、の少なくとも一方は、アークが通過する範囲において面取り形状を有する。【選択図】図３
2020107547.tif 000002
【特許請求の範囲】
【請求項１】
固定接点を含む１対の固定端子と、
前記固定接点に対向して配置された可動接点を含み、前記可動接点が前記固定接点に接触する第１方向と、前記可動接点が前記固定接点から開離する第２方向とに移動可能な可動接触片と、
前記固定接点と前記可動接点との間で生じるアークを伸長させるための磁界を発生させる磁石部と、
を備え、
前記アークが伸長されるアーク伸長方向に位置する前記固定端子の前記第１方向側の角部、又は、前記アーク伸長方向に位置する前記可動接触片の前記第２方向側の角部、の少なくとも一方は、前記アークが通過する範囲において面取り形状を有する、
電磁継電器。
【請求項２】
前記アーク伸長方向に位置する前記固定端子の前記第２方向側の角部、又は、前記アーク伸長方向に位置する前記可動接触片の前記第１方向側の角部、の少なくとも一方は、前記アークが通過する範囲において面取り形状を有する、
請求項１に記載の電磁継電器。
【請求項３】
前記面取り形状は、Ｃ面取り形状又はＲ面取り形状である、
請求項１又は２に記載の電磁継電器。
【請求項４】
前記アーク伸長方向に位置する前記固定端子の表面、又は、前記アーク伸長方向に位置する前記可動接触片の表面の少なくとも一方は、前記アークが通過する範囲において全体がＲ形状を有する、
請求項１から３のいずれか１項に記載の電磁継電器。
【請求項５】
前記固定端子又は前記可動接触片の少なくとも一方は、前記アークの端部の移動を停止させる停止部を含み、
前記停止部は、前記固定端子の前記第１方向側又は前記可動接触片の前記第２方向側に配置されている、
請求項１から４のいずれか１項に記載の電磁継電器。
【請求項６】
前記固定端子は、第１固定接点を含む第１固定端子と、第２固定接点を含む第２固定端子と、を含み、
前記可動接触片は、前記第１固定接点に対向して配置された第１可動接点と、前記第２固定接点に対向して配置された第２可動接点と、を含み、
前記第１固定接点は陽極接点であり、
前記第１可動接点は陰極接点であり、
前記第１固定接点に対して前記アーク伸長方向に位置する前記第１固定端子の前記第１方向側の角部及び前記第２方向側の角部の面取り形状は、前記第１可動接点に対して前記アーク伸長方向に位置する前記可動接触片の前記第１方向側の角部及び前記第２方向側の角部の面取り形状よりも大きく形成されている、
請求項１から５のいずれか１項に記載の電磁継電器。
【発明の詳細な説明】
【技術分野】
【０００１】
本発明は、電磁継電器に関する。
【背景技術】
【０００２】
従来、電気回路を開閉する電磁継電器が知られている。例えば、特許文献１の電磁継電器は、固定接点を含む固定端子と、可動接点を含む可動接触片と、を備えている。可動接点は、固定接点に接触可能であり、可動接点が固定接点に接触または固定接点から開離することで、電気回路が開閉される。また、電磁継電器には、可動接点が固定接点から開離するときに発生するアークを伸長させるための永久磁石が設けられている（特許文献１参照）。固定端子には、可動接触片と対向する側の端部に面取り部が形成されており、これによりアークが固定接点から離れる方向に円滑に移動してアークが伸長される。
【先行技術文献】
【特許文献】
【０００３】
【特許文献１】特許第６２８１３０１号公報
【発明の概要】
【発明が解決しようとする課題】
【０００４】
特許文献１では、固定端子の可動接触片と対向する側の端部がエッジ形状であるため、この端部にアークが滞留してしまう。このため、固定端子の可動接触片と対向する側と反対側の面にアークを円滑に移動させることが難しい。すなわち、アークの円滑な移動が阻害されてアークを円滑に伸張させることが難しい。同様に、特許文献１では、可動接触片の固定端子と対向する側と反対側の端部がエッジ形状であるため、可動接触片の固定端子と対向する側と反対側の面にアークを円滑に移動させることが難しい。
【０００５】
本発明の課題は、電磁継電器において、アークを円滑に伸長させることにある。
【課題を解決するための手段】
【０００６】
本発明の一態様に係る電磁継電器は、１対の固定端子と、可動接触片と、磁石部と、を備える。１対の固定端子は、固定接点を含む。可動接触片は、固定接点に対向して配置された可動接点を含む。可動接触片は、可動接点が固定接点に接触する第１方向と、可動接点が固定接点から開離する第２方向とに移動可能である。磁石部は、固定接点と前記可動接点との間で生じるアークを伸長させるための磁界を発生させる。アークが伸長されるアーク伸長方向に位置する固定端子の第１方向側の角部、又は、アーク伸長方向に位置する可動接触片の第２方向側の角部、の少なくとも一方は、アークが通過する範囲において面取り形状を有する。
【０００７】
この電磁継電器では、アークの端部が通過する範囲において、アーク伸長方向に位置する固定端子の第１方向側の角部、又は、アーク伸長方向に位置する可動接触片の第２方向側の角部、の少なくとも一方が面取りされている。このため、アーク伸長方向に位置する固定端子の第１方向側の角部が面取りされている場合は、アークが磁石部によって伸長されるときに、固定端子の第１方向側の表面にアークの端部を円滑に移動させることができる。また、アーク伸長方向に位置する可動接触片の第２方向側の角部が面取りされている場合は、アークが磁石部によって伸長されるときに、可動接触片の第２方向側の表面にアークの端部を円滑に移動させることができる。この結果、アークを円滑に伸張させることができる。
【０００８】
好ましくは、アーク伸長方向に位置する固定端子の第２方向側の角部、又は、アーク伸長方向に位置する可動接触片の第１方向側の角部、の少なくとも一方は、アークが通過する範囲において面取り形状を有する。この場合は、アークが磁石部によって伸長されるときにおいて、固定端子の第１方向側の表面、又は可動接触片の第２方向側の表面にアークの端部を円滑に移動させることができる。この結果、さらにアークを円滑に伸張させることができる。
【０００９】
好ましくは、面取り形状をＣ面取り形状又はＲ面取り形状に形成することで、アークを円滑に移動させることができる。
【００１０】
好ましくは、アーク伸長方向に位置する固定端子の表面、又はアーク伸長方向に位置する可動接触片の表面の少なくとも一方は、アークが通過する範囲において全体がＲ形状を有する。この場合は、さらにアークを円滑に移動させることができる。
【００１１】
好ましくは、固定端子又は可動接触片の少なくとも一方は、アークの端部の移動を停止させる停止部を含む。停止部は、固定端子の第１方向側又は可動接触片の第２方向側に配置されている。この場合は、停止部によってアークの端部の移動を意図的に停止させることができる。また、接点とは反対側に停止部が配置されているので、アークの伸長が大きく阻害されるおそれも少ない。
【００１２】
好ましくは、固定端子は、陰極接点である第１固定接点を含む第１固定端子と、第２固定接点を含む第２固定端子と、を含む。可動接触片は、第１固定接点に対向して配置された陽極接点である第１可動接点と、第２固定接点に対向して配置された第２可動接点と、を含む。第１固定接点に対してアーク伸長方向に位置する第１固定端子の第１方向側の角部及び第２方向側の角部の面取り形状は、第１可動接点に対してアーク伸長方向に位置する可動接触片の第１方向側の角部及び第２方向側の角部の面取り形状よりも大きく形成されている。この場合は、陽極側よりもアークが伸長しにくい陰極側の接点が配置された第１固定端子の角部の面取り形状を大きく形成することで、第１固定端子の第１方向側の表面にアークの端部を円滑に移動させることができる。
【００１３】
本発明によれば、電磁継電器において、アークを円滑に伸長させることができる。
なる。
【図面の簡単な説明】
【００１４】
【図１】電磁継電器の断面模式図である。
【図２】収容部の内部を上方から見た模式図である。
【図３】第１固定接点周辺の断面を第１磁石から第２磁石に向かう方向に見た断面模式図である。
【図４】第１固定端子、第２固定端子、及び可動接触片を後方から前方に向かって見た模式図である。
【図５】他の実施形態に係る角部の面取り形状を示す模式図である。
【図６】他の実施形態に係る角部の面取り形状を示す模式図である。
【図７】他の実施形態に係る角部の面取り形状を示す模式図である。
【図８】他の実施形態に係る角部の面取り形状を示す模式図である。
【図９】他の実施形態に係る角部の面取り形状を示す模式図である。
【図１０】他の実施形態に係る角部の面取り形状を示す模式図である。
【図１１】他の実施形態に係る角部の面取り形状を示す模式図である。
【図１２】他の実施形態に係る角部の面取り形状を示す模式図である。
【図１３】他の実施形態に係る角部の面取り形状を示す模式図である。
【発明を実施するための形態】
【００１５】
以下、本発明の一態様に係る電磁継電器の実施形態について、図面を参照して説明する。図１は電磁継電器１００の断面模式図である。図１に示すように、電磁継電器１００は、ハウジング２と、接点装置３と、駆動軸４と、電磁駆動装置５と、磁石部６と、を備えている。
【００１６】
なお、図面を参照するときにおいて、説明を分かり易くするために図１における上側を「上」、下側を「下」、左側を「左」、右側を「右」として説明する。また、図１の紙面と直交する方向を前後方向として説明する。なお、本実施形態では、図１における上方は、接触方向Ｚ１である。また、図１における下方は、開離方向Ｚ２である。接触方向Ｚ１及び開離方向Ｚ２の詳細については後述する。
【００１７】
ハウジング２は、略四角形の箱型であり、絶縁性を有する材料で形成されている。ハウジング２の内部には、接点装置３、駆動軸４、電磁駆動装置５、及び磁石部６が収容されている。
【００１８】
ハウジング２は、収容部１１を含む。収容部１１は、例えば、ハウジング２内に配置される略直方体形状のケース部材によって構成されている。収容部１１は、絶縁性を有する材料で形成されている。
【００１９】
図２は、収容部１１の内部を上方から見た模式図である。収容部１１は、第１内壁面１１ａと、第２内壁面１１ｂと、第３内壁面１１ｃと、第４内壁面１１ｄと、を含む。第１〜第４内壁面１１ａ〜１１ｄのそれぞれは、収容部１１の前後左右の内側面である。第１内壁面１１ａ及び第２内壁面１１ｂは、上下方向かつ左右方向に延びている。第１内壁面１１ａ及び第２内壁面１１ｂは、前後方向に互いに対向して配置されている。第３内壁面１１ｃ及び第４内壁面１１ｄは、上下方向かつ前後方向に延びている。第３内壁面１１ｃ及び第４内壁面１１ｄは、左右方向に互いに対向して配置されている。第１内壁面１１ａ及び第２内壁面１１ｂの左右方向の寸法は、第３内壁面１１ｃ及び第４内壁面１１ｄの上下方向の寸法よりも長い。
【００２０】
収容部１１は、接点装置３を収容する収容空間１２を含む。収容空間１２は、本実施形態では、外部から遮断された略直方体形状の空間で構成されている。収容空間１２の側方は、第１〜第４内壁面１１ａ〜１１ｄによって囲まれている。
【００２１】
接点装置３は、第１固定端子１４と、第２固定端子１５と、可動接触片１６と、接触片保持部１７と、を含む。第１固定端子１４、第２固定端子１５、及び可動接触片１６は、導電性を有する材料で形成されている。
【００２２】
第１固定端子１４及び第２固定端子１５は、板状の端子であり、左右方向に延びている。第１固定端子１４及び第２固定端子１５は、左右方向に互いに間隔を隔てて配置されている。第１固定端子１４及び第２固定端子１５は、１対の固定端子の一例である。
【００２３】
第１固定端子１４は、第１固定接点１４ａと、第１外部接続部１４ｂと、を含む。第１固定接点１４ａは、収容空間１２内に配置されている。第１外部接続部１４ｂは、ハウジング２から左方に突出して外部に露出している。第２固定端子１５は、第２固定接点１５ａと、第２外部接続部１５ｂと、を含む。第２固定接点１５ａは、収容空間１２内に配置されている。第２外部接続部１５ｂは、ハウジング２から右方に突出して外部に露出している。
【００２４】
可動接触片１６は、図１及び図２に示すように、一方向に長い板状部材であり、収容空間１２内で左右方向に延びている。可動接触片１６は、収容空間１２内で第１内壁面１１ａ及び第２内壁面１１ｂと前後方向に間隔を隔てて配置されている。可動接触片１６と第１内壁面１１ａとの間、及び可動接触片１６と第２内壁面１１ｂとの間には、アークを伸長させるためのアーク伸長空間１２ａ，１２ｂが設けられている。アーク伸長空間１２ａ，１２ｂは、第１固定接点１４ａと後述する第１可動接点１６ａ、又は第２固定接点１５ａと後述する第２可動接点１６ｂに近接した位置に配置されている。
【００２５】
可動接触片１６は、収容空間１２内で第３内壁面１１ｃ及び第４内壁面１１ｄと左右方向に間隔を隔てて配置されている。可動接触片１６は、第１固定端子１４及び第２固定端子１５の下方に配置されている。なお、本実施形態において、可動接触片１６の長手方向は、左右方向と一致する。また、可動接触片１６の短手方向は、前後方向と一致する。
【００２６】
可動接触片１６は、第１可動接点１６ａと、第２可動接点１６ｂと、を含む。第１可動接点１６ａは、第１固定接点１４ａに対向して配置され、第１固定接点１４ａに接触可能である。第２可動接点１６ｂは、第１可動接点１６ａと左右方向に間隔を隔てて配置されている。第２可動接点１６ｂは、第２固定接点１５ａに対向して配置され、第２固定接点１５ａに接触可能である。
【００２７】
可動接触片１６は、第１固定接点１４ａ及び第２固定接点１５ａに接触する接触方向Ｚ１及び第１固定接点１４ａ及び第２固定接点１５ａから開離する開離方向Ｚ２に移動可能である。接触方向Ｚ１は、第１方向の一例であり、開離方向Ｚ２は、第２方向の一例である。
【００２８】
接触方向Ｚ１は、第１可動接点１６ａ及び第２可動接点１６ｂが第１固定接点１４ａ及び第２固定接点１５ａに対して接触する方向（図１における上方）である。開離方向Ｚ２は、第１可動接点１６ａ及び第２可動接点１６ｂが第１固定接点１４ａ及び第２固定接点１５ａから開離する方向（図１における下方）である。
【００２９】
接触片保持部１７は、図１に示すように、駆動軸４を介して可動接触片１６を保持する。接触片保持部１７は、可動接触片１６と駆動軸４とを連結する。接触片保持部１７は、ホルダ２４と、接点バネ２５と、を含む。接点バネ２５は、駆動軸４及び可動接触片１６を接触方向Ｚ１側に向けて付勢する。
【００３０】
駆動軸４は、接触方向Ｚ１及び開離方向Ｚ２に沿って延びている。駆動軸４は、可動接触片１６とともに接触方向Ｚ１及び開離方向Ｚ２に移動可能である。
【００３１】
電磁駆動装置５は、接点装置３を駆動する。電磁駆動装置５は、電磁力によって駆動軸４とともに可動接触片１６を接触方向Ｚ１及び開離方向Ｚ２に移動させる。電磁駆動装置５は、ハウジング２内において、収容部１１の下方に配置されている。
【００３２】
電磁駆動装置５は、可動鉄心３１と、固定鉄心３２と、ヨーク３３と、を含む。また、電磁駆動装置５は、図示しないコイル、スプール、及びコイルバネを含む。なお、電磁駆動装置５は、従来と同様の構成であるため詳細な説明を省略する。
【００３３】
磁石部６は、第１固定接点１４ａ及び第１可動接点１６ａとの間、及び第２固定接点１５ａと第２可動接点１６ｂとの間で生じるアークを伸長するための磁界を収容部１１内に発生させる。詳細には、図１に示すように、磁石部６は、第１磁石６ａ、第２磁石６ｂと、を含む。第１磁石６ａと第２磁石６ｂは、第１磁石６ａ及び第２磁石６ｂは、永久磁石である。
【００３４】
第１磁石６ａ及び第２磁石６ｂは、前後方向かつ上下方向に延びている。第１磁石６ａ及び第２磁石６ｂは、本実施形態では収容部１１の外周に固定されている。第１磁石６ａ及び第２磁石６ｂは、収容部１１の周囲で可動接触片１６の長手方向に異極が互いに対向するように配置されている。第１磁石６ａは、Ｎ極が収容部１１に面して配置されている。第２磁石６ｂは、Ｓ極が収容部１１に面して配置されている。このように配置された第１磁石６ａ及び第２磁石６ｂによって、収容部１１内には可動接触片１６の短手方向と略平行な方向に磁束が流れる。
【００３５】
次に電磁継電器１００の動作について説明する。なお、電磁継電器１００の動作は、従来と同様であるため簡略に説明する。
【００３６】
図１は、コイルに電圧が印加された状態を示している。コイルに電圧が印加されると、可動鉄心３１がコイルバネの弾性力に抗して接触方向Ｚ１に移動する。可動鉄心３１の接触方向Ｚ１の移動に伴い、駆動軸４及び可動接触片１６は接触方向Ｚ１に移動して、第１可動接点１６ａ及び第２可動接点１６ｂが、第１固定接点１４ａ及び第２固定接点１５ａに接触する。コイルへの電圧の印加が停止されると、可動鉄心３１がコイルバネの弾性力によって可動接触片１６とともに開離方向Ｚ２に移動する。これにより、第１可動接点１６ａ及び第２可動接点１６ｂは、第１固定接点１４ａ及び第２固定接点１５ａから開離した状態になる。この第１可動接点１６ａ及び第２可動接点１６ｂが、第１固定接点１４ａ及び第２固定接点１５ａから開離するときに、第１可動接点１６ａと第１固定接点１４ａとの間、及び第２可動接点１６ｂと第２固定接点１５ａとの間でアークが発生する。
【００３７】
ここで、図２に示すように、例えば第１固定接点１４ａから第１可動接点１６ａに向けて電流が流れる場合は、第１固定接点１４ａと第１可動接点１６ａとの間で生じるアークに第２内壁面１１ｂに向かう方向にローレンツ力Ｆ１が作用する。これにより、アークがアーク伸長空間１２ａで伸長される。また、第２固定接点１５ａと第２可動接点１６ｂとの間で生じるアークには、第１内壁面１１ａに向かう方向にローレンツ力Ｆ２が作用する。これにより、アークがアーク伸長空間１２ｂで伸長される。なお、電流が第１可動接点１６ａから第１固定接点１４ａに向けて流れる場合は、アークに作用するローレンツ力Ｆ１及びローレンツ力Ｆ２の方向がそれぞれ前述した方向と逆になる。本実施形態では、特に断りがない限り、電流が流れる方向を第１固定接点１４ａから第１可動接点１６ａに向かつ方向として説明する。
【００３８】
図３は、第１固定接点１４ａ周辺の断面を第１磁石６ａから第２磁石６ｂに向かう方向に見た断面模式図である。図３では、アークに作用するローレンツ力Ｆ１によってアークが第２内壁面１１ｂに向かって伸長されていく様子を模式的に示している。
【００３９】
第１固定端子１４は、第１面２０ａと、第２面２０ｂと、第３面２０ｃと、第４面２０ｄと、を含む。第１面２０ａは、第１固定端子１４の開離方向Ｚ２側の表面である。第２面２０ｂは、第１面２０ａの反対側の面であり、第１固定端子１４の接触方向Ｚ１側の表面である。第１面２０ａ及び第２面２０ｂは、前後方向及び左右方向に延びている。本実施形態では、第１面２０ａ及び第２面２０ｂは、平坦な形状を有している。第３面２０ｃは、第１固定端子１４の後側の表面である。第４面２０ｄは、第３面２０ｃの反対側の面であり、第１固定端子１４の前側の表面である。第３面２０ｃ及び第４面２０ｄは、上下方向かつ左右方向に延びている。
【００４０】
第１固定端子１４は、第１角部Ｃ１と、第２角部Ｃ２と、第３角部Ｃ３と、第４角部Ｃ４と、をさらに含む。第１角部Ｃ１は、第２面２０ｂと第３面２０ｃの間に位置する。第２角部Ｃ２は、第１面２０ａと第３面２０ｃの間に位置する。第３角部Ｃ３は、第１面２０ａと第４面２０ｄとの間に位置する。第４角部Ｃ４は、第２面２０ｂと第４面２０ｄの間に位置する。
【００４１】
第１角部Ｃ１は、アーク伸長方向に位置する第１固定端子１４の接触方向Ｚ１側の角部の一例である。第２角部Ｃ２は、アーク伸長方向に位置する第１固定端子１４の開離方向Ｚ２側の角部の一例である。アーク伸長方向とは、アークに作用するローレンツ力Ｆ１と同じ方向を意味する。
【００４２】
第１〜第４角部Ｃ１〜Ｃ４は、面取り形状を有する。本実施形態では、第１〜第４角部Ｃ１〜Ｃ４の各々がＲ面取りされており、第１面２０ａ及び第２面２０ｂが第３面２０ｃ及び第４面２０ｄに滑らかに接続されている。
【００４３】
可動接触片１６は、第１面３０ａと、第２面３０ｂと、第３面３０ｃと、第４面３０ｄと、を含む。第１面３０ａは、可動接触片１６の接触方向Ｚ１側の表面であり、第１固定端子１４の第１面２０ａと対向する。第２面３ｂは、第１面３０ａの反対側の面であり、可動接触片１６の開離方向Ｚ２側の表面である。第１面３０ａ及び第２面３０ｂは、前後方向及び左右方向に延びている。本実施形態では、第１面３０ａ及び第２面３０ｂは、平坦な形状を有している。第３面３０ｃは、可動接触片１６の後側の表面である。第４面２０ｄは、第３面３０ｃの反対側の面であり、可動接触片１６の前側の表面である。第３面３０ｃ及び第４面３０ｄは、上下方向かつ左右方向に延びている。
【００４４】
可動接触片１６は、第５角部Ｃ５と、第６角部Ｃ６と、第７角部Ｃ７と、第８角部Ｃ８と、をさらに含む。第５角部Ｃ１は、第２面３０ｂと第３面３０ｃの間に位置する。第６角部Ｃ５は、第１面３０ａと第３面３０ｃの間に位置する。第７角部Ｃ７は、第１面３０ａと第４面３０ｄとの間に位置する。第８角部Ｃ８は、第２面３０ｂと第４面３０ｄの間に位置する。第５角部Ｃ５は、アーク伸長方向に位置する可動接触片１６の開離方向Ｚ２側の角部の一例である。第６角部Ｃ６は、アーク伸長方向に位置する可動接触片１６の接触方向Ｚ１側の角部の一例である。
【００４５】
第５〜第８角部Ｃ５〜Ｃ８は、面取り形状を有する。本実施形態では、第５〜第８角部Ｃ５〜Ｃ８の各々がＲ面取りされており、第１面３０ａ及び第２面３０ｂが第３面３０ｃ及び第４面３０ｄに滑らかに接続されている。
【００４６】
第１固定接点１４ａから第２角部Ｃ２までの距離は、第１可動接点１６ａから第６角部Ｃ６までの距離と同程度である。第１固定接点１４ａから第３角部Ｃ３までの距離は、第１可動接点１６ａから第７角部Ｃ７までの距離と同程度である。
【００４７】
図４は、第１〜第８角部Ｃ１〜Ｃ８の面取り形状を有する範囲を説明するための図であり、第１固定端子１４、第２固定端子１５、及び可動接触片１６を後方から前方に向かって見た模式図である。図４に示すように、第１〜第８角部Ｃ１〜Ｃ８は、少なくともアークの端部が通過する範囲Ｒ１にのみ、或いは範囲Ｒ１の周辺付近にのみ面取り形状を有していればよい。アークの端部が通過する範囲Ｒ１とは、例えば、アーク伸長方向に位置する第１固定端子１４の第１固定接点１４ａに近接した範囲である。また、アーク伸長方向に位置する可動接触片１６の第１可動接点１６ａに近接した範囲である。なお、第１〜第８角部Ｃ１〜Ｃ８は、全範囲Ｒ２に亘って面取り形状を有していてもよい。
【００４８】
図３に示すように、第１固定接点１４ａと第１可動接点１６ａの間で生じたアークにローレンツ力Ｆ１が作用すると、アークが第２内壁面１１ｂに向かう方向に伸長される。このとき、第１固定接点１４ａ側のアークの端部Ａ１は、第１固定接点１４ａから第１面２０ａ、第２角部Ｃ２、第３面２０ｃ、及び第１角部Ｃ１を通過して第２面２０ｂまで移動する。また、第１可動接点１６ａ側のアークの端部Ａ２は、第１可動接点１６ａから第１面３０ａ、第６角部Ｃ６、第３面３０ｃ、及び第５角部Ｃ５を通過して第２面部３０ｂまで移動する。
【００４９】
ここでは、第１角部Ｃ１及び第５角部Ｃ５が面取り形状を有するので、アークがローレンツ力Ｆ１によって伸長されるときに、アークの端部Ａ１，Ａ２が第１面２０ａ，３０ａから第２面２０ｂ，３０ｂに円滑に移動する。すなわち、アークの端部Ａ１，Ａ２が第１角部Ｃ１及び第５角部Ｃ５で滞留して、アークの伸長が妨げられることを抑制できる。これにより、アークを迅速に消弧することができる。また、本実施形態では、第２角部Ｃ２及び第６角部Ｃ６が面取り形状を有するので、アークの端部Ａ１，Ａ２が第１面２０ａ，３０ａから第２面２０ｂ，３０ｂにさらに円滑に移動して、アークを迅速に消弧することができる。
【００５０】
なお、第２固定端子１５は、駆動軸４を挟んで第１固定端子１４と左右対称形状であり、可動接触片１６は、駆動軸４を挟んで左右対称形状である。このため、第２固定接点１５ａと第２可動接点１６ｂの間で生じたアークにおいても、アークがローレンツ力Ｆ２によって伸張されるときに、上記と同様の効果を得ることができる。
【００５１】
以上、本発明の一態様に係る電磁継電器の実施形態について説明したが、本発明は上記実施形態に限定されるものではなく、発明の要旨を逸脱しない範囲で種々の変更が可能である。例えば、ハウジング２、接点装置３、駆動軸４、電磁駆動装置５、或いは収容部１１の形状、或いは配置が変更されてもよい。
【００５２】
例えば、第１固定端子１４及び第２固定端子１５は、ハウジング２内で略Ｌ字状に折れ曲がる形状であってもよい。また、第１固定端子１４及び第２固定端子１５を可動接触片１６の下方に配置して、電磁駆動装置５によって可動接触片１６を第１固定端子１４及び第２固定端子１５に向けて引き込むように動作させてもよい。
【００５３】
前記実施形態では、ローレンツ力Ｆ１，Ｆ２が可動接触片１６の短手方向と平行な方向に作用するような磁界を磁石部６で発生させていたが、ローレンツ力Ｆ１，Ｆ２が可動接触片１６の長手方向と平行な方向に作用するような磁界を磁石部６で発生させてもよい。この場合は、可動接触片１６の長手方向の両端に位置する角部が面取り形状を有してもよい。
【００５４】
第１〜第８角部Ｃ１〜Ｃ８の面取り形状は、アークの伸長方向に位置する角部にのみ形成してもよい。また、図５に示すように、第１〜第８角部Ｃ１〜Ｃ８の面取り形状は、Ｃ面取り形状であってもよい。また、図６に示すように、例えば、第１固定端子１４の第２面２０ｂ側に樹脂などの他の部材２６が配置されており、第２面２０ｂ側にアークを移動させたくない場合は、第２角部Ｃ２及び第３角部Ｃ３のみに面取り形状を形成してもよい。また、図７に示すように、第３面２０ｃ及び第４面２０ｄの全体が円弧面で形成されてもよい。同様に、第３面３０ｃ及び第４面３０ｄの全体が円弧面で形成されてもよい。
【００５５】
図８に示すように、第１角部Ｃ１と第２角部Ｃ２の面取り形状が異なっていてもよい。同様に、第５角部Ｃ５と第６角部Ｃ６の面取り形状が異なっていてもよい。例えば、第１角部Ｃ１又は第２角部Ｃ２のいずれか一方の面取り形状が、第１角部Ｃ１又は第２角部Ｃ２のいずれか他方の面取り形状よりも大きく形成してもよい。
【００５６】
図９に示すように、電磁継電器１００が極性を有する場合において、アークが伸長しにくい陰極側の接点の面取り形状を陽極側の接点の面取り形状よりも大きく形成してもよい。図９では、例えば、第１固定接点１４ａが陽極側の接点、第１可動接点１６ａが陰極側の接点で構成されており、第１角部Ｃ１及び第２角部Ｃ２よりも第５角部Ｃ５及び第６角部Ｃ６の面取り形状が大きく形成されている。これにより、陰極側（第１可動接点１６ａ側）におけるアークの端部が第１面３０ａから第２面３０ｂに円滑に移動する。
【００５７】
図１０に示すように、第１固定端子１４は、円柱状の端子であってもよい。この場合、第１固定端子１４の開離方向Ｚ２側の端面の外周部１４ｃは、面取り形状を有してもよい。なお、第２固定端子１５についても、第１固定端子１４と同様の構成であってもよい。
【００５８】
図１１（Ａ）及び図１１（Ｂ）に示すように、例えば、第１角部Ｃ１の面取り形状と第４角部Ｃ４の面取り形状が互いに接続されていてもよい。具体的には、図１１（Ａ）に示すように、第１角部Ｃ１と第４角部Ｃ４が連なるように第１角部Ｃ１と第４角部Ｃ４が円弧状に接続されてもよい。また、図１１（Ｂ）に示すように、第１角部Ｃ１と第４角部Ｃ４がＣ面取り形状に形成して、第１角部Ｃ１の一端と第２角部Ｃ４の一端とが互いに接続されてもよい。
【００５９】
図１２に示すように、例えば、アークの端部の移動を所定の位置で止めたい場合は、アークの端部の移動を止めるための停止部２８を設けてもよい。停止部２８は、例えば、第１固定端子１４の第２面２０ｂに凹んで形成された凹部２９の角部２９ａによって構成してもよい。また、第２固定端子１５又は可動接触片１６に停止部２８を設けてもよい。
【００６０】
図１３（Ａ）に示すように、第１固定接点１４ａを第１面２０ａと面一になるように配置してもよい。或いは、図１３（Ｂ）に示すように、第１固定接点１４ａは、第１固定端子１４と一体であってもよい。この場合、第１固定端子１４の第１面２０ａが第１可動接点１６ａ、或いは可動接触片１６に接触する。なお、当該構成を第１固定端子１４又は可動接触片１６に適用してもよい。
【産業上の利用可能性】
【００６１】
本発明によれば、電磁継電器において、アークを円滑に伸長させることができる。
【符号の説明】
【００６２】
６      磁石部
Ｃ１    第１角部
Ｃ２    第２角部
Ｃ５    第５角部
Ｃ６    第６角部
１４    第１固定端子
１４ａ  第１固定接点（固定接点の一例）
１５    第２固定端子
１５ａ  第２固定接点（固定接点の一例）
１６    可動接触片
１６ａ  第１可動接点（可動接点の一例）
１６ｂ  第２可動接点（可動接点の一例）
２８    停止部
１００  電磁継電器
【図１】
2020107547.tif 000003
【図２】
2020107547.tif 000004
【図３】
2020107547.tif 000005
【図４】
2020107547.tif 000006
【図５】
2020107547.tif 000007
【図６】
2020107547.tif 000008
【図７】
2020107547.tif 000009
【図８】
2020107547.tif 000010
【図９】
2020107547.tif 000011
【図１０】
2020107547.tif 000012
【図１１】
2020107547.tif 000013
【図１２】
2020107547.tif 000014
【図１３】
2020107547.tif 000015